【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
外耳及びその周辺部の適所を圧迫するカフと、
手動操作で流体を加圧して加圧流体を発生する手動加圧手段と、
前記カフと前記手動加圧手段との間に接続されるとともに前記加圧流体を前記カフに送る配管と、
前記配管に接続されるとともに前記カフ内の圧力検出を行う圧力センサと、
前記配管に接続されるとともに前記加圧流体の送り出しのオン・オフ制御を行う第１の開閉弁と、
前記配管に接続されるとともに前記カフ内の減圧制御を行う第２の開閉弁と、
血管を流れる血液から脈波信号を検出するように前記カフに配設される検出手段と、
血圧値の測定を行う血圧測定制御手段と、を備えることを特徴とする血圧測定装置。
【請求項２】
外耳及びその周辺部を圧迫するカフと、
手動操作で空気を加圧して加圧空気を発生する手動加圧手段と、
前記カフと前記手動加圧手段との間に接続されるとともに前記加圧空気を前記カフに送る配管と、
前記配管に接続されるとともに前記カフ内の圧力検出を行う圧力センサと、
前記配管に接続されるとともに前記加圧空気の送り出しのオン・オフ制御を行う第１の開閉弁と、
前記配管に接続されるとともに前記カフ内の減圧制御を行う第２の開閉弁と、
血管を流れる血液から脈波信号を検出するように前記カフに配設される検出手段と、
血圧値の測定を行う血圧測定制御手段と、を備えることを特徴とする血圧測定装置。
【請求項３】
外耳及びその周辺部を圧迫するカフと、
手動操作で液体を加圧して加圧液体を発生する手動加圧手段と、
前記カフと前記手動加圧手段との間に接続されるとともに前記加圧液体を前記カフに送るために閉回路になるように接続される配管と、
前記配管に接続されるとともに前記カフ内の圧力検出を行う圧力センサと、
前記配管に接続されるとともに前記加圧液体の送り出しのオン・オフ制御を行う第１の開閉弁と、
前記配管に接続されるとともに前記カフ内の減圧制御を行う第２の開閉弁と、
血管を流れる血液から脈波信号を検出するように前記カフに配設される検出手段と、
血圧値の測定を行う血圧測定制御手段と、を備えることを特徴とする血圧測定装置。
【請求項４】
前記圧力センサと、前記第１の開閉弁と、前記第２の開閉弁と、前記血圧測定制御手段とを前記カフとは個別に形成される本体内に設け、かつ前記カフと前記本体の間を前記配管の一部と、前記検出手段から接続される信号線とで接続し、
さらに手動加圧手段を前記本体に内蔵したことを特徴とする請求項１乃至３のいずれか１項に記載の血圧測定装置。
【請求項５】
前記圧力センサと、前記第１の開閉弁と、前記第２の開閉弁と、前記血圧測定制御手段とを前記カフとは個別に形成される本体内に設け、かつ前記カフと前記本体の間を前記配管の一部と、前記検出手段から接続される信号線とで接続し、
さらに手動加圧手段を前記本体とは個別に構成したことを特徴とする請求項１乃至３のいずれか１項に記載の血圧測定装置。
【請求項６】
前記脈波信号の信号レベルを調整するレベル調整手段をさらに備え、
前記カフの加圧前あるいは加圧時において前記検出手段により検出された脈波信号の信号レベルが所定の範囲外であった場合、前記レベル調整手段により前記信号レベルが所定の範囲内となるよう調整を行うことを特徴とする請求項１乃至５のいずれか１項に記載の血圧測定装置。
【請求項７】
前記外耳及びその周辺部は、外耳道および／または耳介であることを特徴とする講求項１乃至６のいずれか１項に記載の血圧測定装置。
【請求項８】
前記外耳及びその周辺部は、耳珠および／またはその周辺部であることを特徴とする請求項１乃至６のいずれか１項に記載の血圧測定装置。
【請求項９】
前記検出手段により検出される脈波信号は、血管内を流れる血液による光の吸収および反射により得られる信号であることを特徴とする請求項１乃至５のいずれか１項に記載の血圧測定装置。
【請求項１０】
前記レベル調整手段は、前記検出手段の発光素子からの出カ光量を調整する光量調整手段と、前記検出手段の受光素子からの信号レベルを調整するゲイン設定手段とを含み、
前記血圧測定制御手段は前記検出手段により検出された脈波信号の信号レベルが所定の範囲外であった場合に、
前記光量設定手段と前記ゲイン設定手段の少なくとも一方により信号レベルを所定の範囲内に収める調整を行うことを特徴とする請求項６に配載の血圧測定装置。
【請求項１１】
前記カフと前記本体の間の前記配管の一部と、前記検出手段から接続される前記信号線とは耳掛部となる耳掛形支持体に内蔵されることを特徴とする請求項４または５に記載の血圧測定装置。
【請求項１２】
前記手動加圧手段は、逆止弁を設けたシリンジポンプ、ゴム球、ベーローズポンプ、蠕動式ポンプ、ローラポンプを含むことを特徴とする請求項１または２に記載の血圧測定装置。
【請求項１３】
前記手動加圧手段は、逆止弁を設けたシリンジポンプ、ゴム球、ベーローズポンプ、蠕動式ポンプ、ローラポンプを含み、前記第２の開閉弁から送られる液体を貯蔵する加圧室に対する送液を行うように接続され、前記加圧室から前記加圧流体を送ることを特徴とする請求項３に記載の血圧測定装置。
【請求項１４】
外耳及びその周辺部を圧迫するカフに、手動操作で流体を加圧して加圧流体を発生する手動加圧手段からの前記加圧流体を、前記カフと前記手動加圧手段との間に接続される配管を配管を介して送る工程と、
前記配管に接続される圧力センサにより前記カフ内の圧力検出を行う工程と、
前記配管に接続される第１の開閉弁により前記加圧流体の送り出しのオン・オフ制御を行う工程と、
前記配管に接続される第２の開閉弁により前記カフ内の減圧制御を行う工程と、
前記カフに配設される検出手段により血管内を流れる血液から脈波信号を検出する工程と、
血圧値の測定を行う工程と、を備えることを特徴とする血圧測定方法。
【請求項１５】
外耳及びその周辺部を圧迫するカフに、手動操作で空気を加圧して加圧空気を発生する手動加圧手段からの前記加圧空気を、前記カフと前記手動加圧手段との間に接続される配管を介して送る工程と、
前記配管に接続される圧力センサにより前記カフ内の圧力検出を行う工程と、
前記配管に接続される第１の開閉弁により前記加圧流体の送り出しのオン・オフ制御を行う工程と、
前記配管に接続される第２の開閉弁により前記カフ内の減圧制御を行う工程と、
前記カフに配設される検出手段により血管内を流れる血液から脈波信号を検出する工程と、
血圧値の測定を行う工程と、を備えることを特徴とする血圧測定方法。
【請求項１６】
外耳及びその周辺部を圧迫するカフに、手動操作で液体を加圧して加圧液体を発生する手動加圧手段からの前記加圧液体を、前記カフと前記手動加圧手段との間で閉じた状態で接続される配管を介して送る工程と、
前記配管に接続される圧力センサにより前記カフ内の圧力検出を行う工程と、
前記配管に接続される第１の開閉弁により前記加圧流体の送り出しのオン・オフ制御を行う工程と、
前記配管に接続される第２の開閉弁により前記カフ内の減圧制御を行う工程と、
前記カフに配設される検出手段により血管内を流れる血液から脈波信号を検出する工程と、
血圧値の測定を行う工程と、を備えることを特徴とする血圧測定方法。
【請求項１７】
レベル調整手段により前記脈波信号の信号レベルを調整する工程をさらに備え、
前記カフの加圧前あるいは加圧時において前記検出手段により検出された脈波信号の信号レベルが所定の範囲外であった場合、前記レベル調整手段により前記信号レベルを所定の範囲内に収める調整を行う工程を備えることを特徴とする請求項１４乃至１６のいずれか１項に記載の血圧測定方法。
【請求項１８】
前記外耳及びその周辺部は、外耳道および／または耳介であることを特徴とする講求項１４乃至１６のいずれか１項に記載の血圧測定方法。
【請求項１９】
前記外耳及びその周辺部は、耳珠および／またはその周辺部であることを特徴とする請求項１４乃至１６のいずれか１項に記載の血圧測定方法。
【請求項２０】
前記検出手段により検出される脈波信号は、血管内を流れる血液による光の吸収および反射により得られる信号であることを特徴とする請求項１４乃至１６のいずれか１項に記載の血圧測定方法。
【請求項２１】
前記レベル調整手段は、光量調整手段により前記検出手段の発光素子からの出カ光量を調整する工程と、ゲイン設定手段により前記検出手段の受光素子からの信号レベルを調整する工程とを含み、
前記血圧測定制御手段は前記検出手段により検出された脈波信号の信号レベルが所定の範囲外であった場合に、前記光量設定手段と前記ゲイン設定手段の少なくとも一方により信号レベルを所定の範囲内に収める調整を行う工程を含むことを特徴とする請求項１７に記載の血圧測定方法。